(57)【要約】      （修正有）【課題】一つのローラー式清掃具であっても、手近な箇所を掃除するほかに、立って床などを掃除することができるローラー式清掃具を提供する。【解決手段】清掃シート２を巻いたローラー体３を支持軸４により回動自在に支持し、この支持軸４よりローラー体２に相対するように延長した短尺な柄７を設ける。短尺な柄７に該短尺な柄７の軸心１１と同軸状に、長尺な延長用柄９の連結用螺子１０を設ける。延長用柄９の基端９Ａに連結用螺子１０に螺着する雄螺子１２を設ける。【選択図】図１
0003160090.tif 000002
【実用新案登録請求の範囲】
【請求項１】
清掃シートを巻いたローラー体を支持軸により回動自在に支持し、この支持軸より前記ローラー体に相対するように延長した短尺な柄を設けたローラー式清掃具において、前記短尺な柄に長尺な延長用柄の連結用手段を設けたことを特徴とするローラー式清掃具。
【請求項２】
清掃シートを巻いたローラー体を支持軸により回動自在に支持し、この支持軸より前記ローラー体に相対するように延長した短尺な柄を設けたローラー式清掃具において、前記短尺な柄に該短尺な柄の軸心と同軸状に、長尺な延長用柄の連結用螺子を設けたことを特徴とするローラー式清掃具。
【請求項３】
前記連結用螺子が前記短尺な柄の先端に設けられた雌螺子であり、前記延長用柄の基端に前記雌螺子に螺着可能な雄螺子が設けられることを特徴とする請求項２記載のローラー式清掃具。
【請求項４】
前記雌螺子の外周に取っ手を設けたことを特徴とする請求項３記載のローラー式清掃具。
【請求項５】
前記延長用柄が伸縮可能であることを特徴とする請求項４記載のローラー式清掃具。
【考案の詳細な説明】
【技術分野】
【０００１】
本考案は、粘着シートなど清掃シートを巻いたローラー体をテーブルの上面などに転がして清掃するローラー式清掃具に関するものである。
【背景技術】
【０００２】
従来、この種のものとして清掃シートを巻いたローラー体を回動自在に支持する支持軸に短尺な柄を連結すると共に、該短尺な柄を握って使用するものや、支持軸に前記短尺なものに比較して長く形成された長尺な柄を握って使用するものが知られている（例えば、特許文献１，２）。
【先行技術文献】
【特許文献】
【０００３】
【特許文献１】実用新案登録第３０８１５１２号公報
【特許文献２】特開２００１−１９８０７４号公報
【考案の概要】
【考案が解決しようとする課題】
【０００４】
しかし、従来技術においては、掃除のときには、手近な箇所を掃除するための柄が短尺なローラー式清掃具と、立って床などを掃除するための柄が長尺なローラー式清掃具の二種類のものが必要であった。
【０００５】
解決しようとする問題点は、一つのローラー式清掃具であっても、手近な箇所を掃除するほかに、立って床などを掃除することができるようにする点である。
【課題を解決するための手段】
【０００６】
請求項１の考案は、清掃シートを巻いたローラー体を支持軸により回動自在に支持し、この支持軸より前記ローラー体に相対するように延長した短尺な柄を設けたローラー式清掃具において、前記短尺な柄に長尺な延長用柄の連結用手段を設けたことを特徴とするローラー式清掃具である。
【０００７】
請求項２の考案は、清掃シートを巻いたローラー体を支持軸により回動自在に支持し、この支持軸より前記ローラー体に相対するように延長した短尺な柄を設けたローラー式清掃具において、前記短尺な柄に該短尺な柄の軸心と同軸状に、長尺な延長用柄の連結用螺子を設けたことを特徴とするローラー式清掃具である。
【０００８】
請求項３の考案は、前記連結用螺子が前記短尺な柄の先端に設けられた雌螺子であり、前記延長用柄の基端に前記雌螺子に螺着可能な雄螺子が設けられることを特徴とする請求項２記載のローラー式清掃具である。
【０００９】
請求項４の考案は、前記雌螺子の外周に取っ手を設けたことを特徴とする請求項３記載のローラー式清掃具である。
【００１０】
請求項５の考案は、前記延長用柄が伸縮可能であることを特徴とする請求項４記載のローラー式清掃具である。
【考案の効果】
【００１１】
請求項１の考案によれば、選択的に柄の長さを換えることができ、１個の清掃具本体であっても、そのまま使用するか或いは延長用柄を連結することで床など手が届き難い箇所も清掃することができる。
【００１２】
請求項２の考案によれば、選択的に柄の長さを換えることができ、一つの清掃具本体であっても、そのまま使用するか或いは延長用柄を連結することで床など手が届き難い箇所も清掃することができ、さらに延長用柄を螺子結合するので確実に連結することができる。
【００１３】
請求項３の考案によれば、短尺な柄の先端を平にすることができ、握りやすくなる。
【００１４】
請求項４の考案によれば、取っ手が雌螺子よりも径大に形成されることで握りやすくなると共に、雌螺子を取っ手と一体に形成することができる。
【００１５】
請求項５の考案によれば、最適な長さで延長用柄を利用することができる。
【図面の簡単な説明】
【００１６】
【図１】本考案の第１実施例を示す分解斜視図である。
【図２】同短尺な柄を握った状態の斜視図である。
【図３】同長尺な柄を握った状態の斜視図である。
【図４】本考案の第２実施例を示す斜視図である。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜図３は実施例１を示しており、図１に示すようにローラー式清掃具本体１は、粘着シートなどの清掃シート２を巻いた横向きのローラー体３を支持軸４に回動自在に支持しており、このローラー体３は筒型のホルダー５を介して支持軸４に着脱自在に設けられて交換ができるようになっている。そして、ローラー体３の全幅に設けられた支持軸４の一端から延長して支持軸４におけるローラー体３の幅方向中央部に相対する延長端６に、長手方向の長さが後述する延長柄より短い短尺な柄７の基端が連結している。この柄７は、持ち易いように取り付けた細長形状のものであり、この短尺な柄７はローラー体３の幅方向中央部に相対する方向に突設して延長端６に連結し、延長端６に連結する柄杆７Ａとこの柄杆７Ａの先端側に設けられる握り用の第一の取っ手８が設けられている。この第一の取っ手８は柄杆７Ａよりも径大に形成されている。
【００１９】
そして、短尺な柄７の先端面、すなわち第一の取っ手８の先端面には長尺な延長用柄９の連結手段たる連結用螺子10が雌螺子により形成されている。この連結用螺子10は短尺な柄７の軸心11と同心状であって、第一の取っ手８の先端面に開口している。さらに、連結用螺子10の外周に第一の取っ手８が設けられることにより、第一の取っ手８の径Ａは連結用螺子10としての雌螺子の径Ｂよりも径大に形成されている（Ａ＞Ｂ）。尚、ここでＡ＞Ｂの関係は第一の取っ手８における握る箇所の一部又は全部の箇所に形成されていればよい。
【００２０】
前記延長用柄９は短尺な柄７よりも長く形成される長尺なものであって、その基端９Ａに連結用螺子10に螺着する雄螺子12が設けられており、一方、先端９Ｂに握り用の第二の取っ手13が設けられている。そして、延長用柄９は基端側パイプ14と先端側パイプ15とは二重パイプ状になって矢印Ｃ方向に伸縮自在に設けられると共に、両者間に所定長さで固定できるようにストッパー16が設けられており、実施例のストッパー16は基端側パイプ14に対して先端側パイプ15を一方に回動するとストッパー16が作用して両者を固定し、一方基端側パイプ14に対して先端側パイプ15を他方に回動するとストッパー16が解除して両者を伸縮できるようになっている。
【００２１】
次に前記構成についてその作用を説明する。図２に示すように手近なゴミ類を清掃する場合には、清掃具本体１を単独で使用し第一の取っ手８を握ってローラー体３をテーブル面（図示せず）等の上面を転がすことで、ゴミ類を清掃シート２に付着させることで清掃することができる。
【００２２】
図３に示すように床（図示せず）の清掃の場合は、連結用螺子10に雄螺子12を螺着することで、短尺な柄７の第一の取っ手８に長尺な延長用柄９を連結し、そして延長用柄９の第二の取っ手13を握ってローラー体３を床面上に転がすことで、ゴミ類を清掃シート２に付着させることで清掃することができる。
【００２３】
尚、延長用柄９はローラー式清掃具の専用ではなく、例えばモップ式清掃具本体（図示せ）の柄に着脱可能なものを兼用したりしてもよい。
【００２４】
以上のように、前記実施例では請求項１に対応して、短尺な柄７に長尺な延長用柄９の連結用手段としての連結用螺子10を設けたことで、選択的に柄９の長さを換えることができ、１個の清掃具本体１であっても、そのまま使用することで手近な箇所のみならず、延長用柄９を連結することで床など手が届き難い箇所も清掃することができる。
【００２５】
前記実施例では請求項２に対応して、短尺な柄７に該短尺な柄７の軸心11と同軸状に、長尺な延長用柄９の連結用螺子10を設けたことで、短尺な柄７の第一の取っ手８を握って手近な箇所を清掃し、一方床掃除などのときは連結用螺子10を介して延長用柄９を連結することで、一つの清掃具本体１であっても手近な箇所のみならず床なども簡単に清掃でき、しかも連結用螺子10による螺子結合なので確実に延長用柄９を連結することができる。
【００２６】
前記実施例では請求項３に対応して、前記連結用螺子10が短尺な柄７の先端に設けられた雌螺子であり、延長用柄９の基端９Ａに連結用螺子10に螺着可能な雄螺子12が設けられることで、短尺な柄７の先端を平にすることができ、第一の取っ手８を握ったときに近くに邪魔なものがなく握りやすくなる。
【００２７】
前記実施例では請求項４に対応して、連結用螺子10としての雌螺子の外周に第一の取っ手８に設けられることで、第一の取っ手８を径大に形成して握りやすくなると共に、連結用螺子10も一体的に形成することができる。
【００２８】
前記実施例では請求項５に対応して、延長用柄９が伸縮可能であることで、延長用柄９の長さ調整ができ、最適な長さで延長用柄９を利用することができる。
【実施例２】
【００２９】
図４に示す実施例２は前記実施例１と同一部分には同一符号を付し、その詳細な説明を省略する。実施例２においては、ローラー体３の一方にのみ設けられている支持軸４´の延長端６´はローラー体３の幅方向端部に相対する箇所に設けられており、さらに第一の取っ手８の先端面に連結用螺子である雄螺子10´が軸心11方向に突設し、延長用柄９の基端９Ａに雄螺子10´に螺着する雌螺子12´が設けられたものである。
【００３０】
したがって、床掃除のときには雄螺子10´と雌螺子12´を螺着して、短尺な柄７に延長用柄９を連結することができる。このような実施例２においても実施例１と同様の作用効果を奏することができる。
【産業上の利用可能性】
【００３１】
以上のように本考案にかかるローラー式清掃具は、各種の用途に適用できる。
【符号の説明】
【００３２】
１  清掃具本体
２  清掃シート
３  ローラー体
４  ４´  支持軸
７  柄
８  取っ手
９  延長用柄
９Ａ  基端
10  連結用螺子
10´  雄螺子（連結用螺子）
11  軸心
雄螺子12
Ａ  Ｂ  径
【図１】
0003160090.tif 000003
【図２】
0003160090.tif 000004
【図３】
0003160090.tif 000005
【図４】
0003160090.tif 000006